(57)【特許請求の範囲】
【請求項１】
断面円形のパイプ状部材の枠部材で形成される液体吐出機であって、
前記液体吐出機は、
断面円形のパイプ状部材で形成されたコ字状の底部と、底部の端部より連設状態で立設された、断面円形のパイプ状部材で形成された支柱と、
支柱に設置された、貯蔵された液体を吐出する、外付けのポンプ式容器をセットするコ字形の容器保持部と、
前記支柱の上部を収容する円筒状の筒状体と、
筒状体の上部内周に配設される軸部と、
軸部の上端に設置される回転用パイプと、
前記軸部と回転用パイプとからなる連結部と、
を備える枠部材と、
前記回転用パイプ内に回転自在に収容される基端部と、
手の甲で押圧することにより、基端部を中心に下方へ移動する押下部と、
基端部の両端に連設される天井部と、
天井部間に固定される天板と、
天井部と押下部を連接する鉛直部と、
前記基端部、押下部、天井部、天板、鉛直部を備え、前記押下部を手の甲で押圧することにより、前記天板でポンプ式容器の操作ヘッドを押し下げる操作部と、
を具備することを特徴とする液体吐出機。
【請求項２】
前記筒状体に、前記操作部の天板の高さを調節する高さ調節部を設置した請求項１記載の液体吐出機。
【請求項３】
前記操作部の押下部に、平板または棒状の補助部を設置した請求項１または２記載の液体吐出機。
【発明の詳細な説明】
【技術分野】
【０００１】
本発明は、液体吐出機に関し、特に、電動源やセンサを必要とせず、容易に、かつワンタッチで液体を吐出することができる液体吐出機に関する。
【背景技術】
【０００２】
近年、インフルエンザや新型コロナウイルス等の対策のため、不特定多数の人が出入りする公共施設等の入口には、消毒液を収容したポンプ式容器が設置されている。一般に、前記ポンプ式容器を使用する場合、容器頭部に設置された操作ヘッドを押下し、容器内部の消毒液を手のひら上に吐出していた。しかしながら、上記のポンプ式容器では、荷物を手で持って使用する際、片手での操作は非常に不便であった。また、不特定多数の人が前記容器頭部を触るため、衛生的にも問題があった。
【０００３】
それらの問題を解消するための装置として、センサの入力信号に基づいて、自動的に消毒液や洗浄液等が入った手動ポンプ付容器の手動ポンプの操作部を押下して、所定量の液体を容器の外部に吐出させる駆動機構を内蔵し、しかも市販の種々の形状の手動ポンプ付容器に着脱可能な自動液体吐出補助装置がある。かかる自動液体吐出補助装置としては、例えば、特許文献１に、人間の手等を検出する検出器と、該検出器からの信号に基づいて駆動源を駆動する制御部と、液体を収容した手動ポンプ付容器の手動ポンプの操作部に当接して該操作部を押下する押下部材を前記駆動源により作動させる押下機構とをその内部に有する手動ポンプ操作部押下機構部と、前記検出器、前記制御部および前記駆動源に電流を供給する電源部と、種々の形状の前記手動ポンプ付容器を着脱可能に保持する手動ポンプ付容器保持部とを有する自動液体吐出補助装置が、開示されている。
【０００４】
また、不特定多数の人が消毒前の手で消毒液ボトルの操作ヘッドを押圧操作することになるため、操作ヘッドに触れるのを躊躇する人もあり、その対策として、足踏み式ペダルを踏み込み操作することによって、消毒液を噴射する足踏み式消毒液供給装置が開発されている。かかる足踏み式消毒液供給装置としては、例えば、特許文献２に、形態の異なる複数種類の消毒液ボトルを載置可能なトレイと、このトレイに載置された消毒液ボトルの操作ヘッドを押圧操作するための押圧体と、この押圧体よりも下方に配設された足踏みペダルと、この足踏みペダルに加えられる踏み込み動作を前記押圧体の前記操作ヘッドを押圧する動作に変換する動作変換機構とを具備してなるものであって、前記押圧体が、前記操作ヘッドの頂部を押圧する天壁と、前記操作ヘッドの前後左右のうち少なくとも三方への移動を規制する規制壁とを具備してなり、これら規制壁の少なくとも１つに前記操作ヘッドから延出するノズルを挿通させるための開口が設けられていることを特徴とする足踏み式消毒液供給装置が、開示されている。
【先行技術文献】
【特許文献】
【０００５】
【特許文献１】特開平９−１４１２９号公報
【特許文献２】特開２０１１−１１０２５２号公報
【発明の概要】
【発明が解決しようとする課題】
【０００６】
しかしながら、特許文献１に記載された自動液体吐出補助装置は、容器内の液体を自動的に吐出することができるが、手を検出する検出器、動力源を駆動する制御部、また押下機構に電流を供給する電源部等の多くの機器や部材が必要となり、コストアップに繋がるという問題点があった。また、常に電源を必要とするためコンセントの近く等設置場所が限定されたり、電池等を使用した場合は電池交換業務が必要となり、余分な管理業務等が発生していた。
【０００７】
また、特許文献２に記載された足踏み式消毒液供給装置は、装置自身の高さがあるため、入口の机や対面カウンターの上に気軽に設置することはできず、設置場所が限定されるという問題点があった。
【０００８】
そこで本発明の目的は、上記課題を解消するために、電動源やセンサを必要とせず、さらに容器のヘッド部分に直接触れることがなく、容易に、かつワンタッチで液体を吐出することができる液体吐出機を提供することにある。
【課題を解決するための手段】
【０００９】
本発明者は、前記課題を解決すべく鋭意検討を行った結果、天板を備える操作部（押下部）を動かして液体を吐出することによって、前記目的を達成し得ることを見出し、本発明を完成するに至った。
【００１０】
即ち、本発明の液体吐出機は、断面円形のパイプ状部材の枠部材で形成される液体吐出機であって、
前記液体吐出機は、
断面円形のパイプ状部材で形成されたコ字状の底部と、底部の端部より連設状態で立設された、断面円形のパイプ状部材で形成された支柱と、
支柱に設置された、貯蔵された液体を吐出する、外付けのポンプ式容器をセットするコ字形の容器保持部と、
前記支柱の上部を収容する円筒状の筒状体と、
筒状体の上部内周に配設される軸部と、
軸部の上端に設置される回転用パイプと、
前記軸部と回転用パイプとからなる連結部と、
を備える枠部材と、
前記回転用パイプ内に回転自在に収容される基端部と、
手の甲で押圧することにより、基端部を中心に下方へ移動する押下部と、
基端部の両端に連設される天井部と、
天井部間に固定される天板と、
天井部と押下部を連接する鉛直部と、
前記基端部、押下部、天井部、天板、鉛直部を備え、前記押下部を手の甲で押圧することにより、前記天板でポンプ式容器の操作ヘッドを押し下げる操作部と、
を具備することを特徴とするものである。
【００１１】
また、本発明の液体吐出機は、前記筒状体に、前記操作部の天板の高さを調節する高さ調節部を設置したことが好ましく、前記操作部の押下部に、平板または棒状の補助部を設置したことが好ましい。
【発明の効果】
【００１２】
本発明によると、電動源やセンサを必要とせず、少ない部材で製造することができ、容易に、かつワンタッチで液体を吐出することができる。
【図面の簡単な説明】
【００１３】
【図１】本発明の液体（消毒液）吐出機の全体斜視図である。
【図２】前記液体（消毒液）吐出機にポンプ式容器をセットした状態の側面図である。
【図３】ポンプ式容器をセットした状態の正面図である。
【図４】操作部を押下し液体を吐出した状態を示す。
【図５】操作部を戻した状態を示す。
【図６】他の好適例、操作部の高さを調節する状態を示す。
【図７】また他の好適例、押下部に平板を設置した状態を示す。
【発明を実施するための形態】
【００１４】
以下、本発明の液体吐出機について、消毒液吐出機を例に具体的に説明する。
本発明の液体（消毒液）吐出機は、電動源やセンサを必要とせず、少ない部材で製造することができ、容易に、かつワンタッチで液体（消毒液）を吐出することができることを特徴とするものである。
【００１５】
図１乃至図３に示す消毒液吐出機（液体吐出機）１は、家庭や公共施設、またオフィスや店舗等の入口に設置されるもので、消毒液を収容させたポンプ式容器２内の液体を、ワンタッチの操作で吐出できることを特徴とするものである。吐出される液体は、ポンプ式容器２に収納でき、ポンプ式容器２の操作ヘッド３を押すことで液体が吐出されるものであれば、限定されないが、中でも消毒液であることが好ましい。
【００１６】
前記消毒液吐出機１は、底部１０と、底部１０に鉛直状に連設される支柱２０と、支柱２０に設置された容器保持部２２と、前記支柱２０の上部周囲に配設される筒状体３０と、筒状体３０の上部内周に配設される連結部４０と、連結部４０にて可動自在に連結される、天板５３を備える操作部５０と、で構成されている。
【００１７】
底部１０は金属または樹脂等の素材で円筒形又は円柱形に形成されており、平面視においてコの字状を呈している。また底部１０の基部１２周辺には、ポンプ式容器２を支える底面板１１が設置されている。さらに底部１０の基部１２には、鉛直方向に立設された一対の支柱２０が連設されている。なお、本発明において、他の部材についても、金属または樹脂等の素材を用いることができる。
【００１８】
支柱２０は底部１０と同様に、円筒形又は円柱形に形成されており、支柱２０間には、補強部材２１が、また支柱２０間の上部にはコの字形の容器保持具２２が設置されている。
【００１９】
また、前記支柱２０の上部には、支柱２０の上部に配設される筒状体３０が連結されている。筒状体３０は中空状を呈しており、下部は一対の支柱３０の上部周囲を保持するとともに、上部は後述詳細の連結部４０の下部周囲を保持している。
【００２０】
さらに、特に、前記筒状体３０には、操作部５０の高さを調節できる高さ調節部３１が設置されている。この高さ調節部３１は、ネジ部３２と摘３３とからなり、摘３３を回動操作することで、図６に示すように、操作部５０の高さを自在に調節できる。そのことにより、様々なサイズのポンプ式容器２にも対応できる。
【００２１】
連結部４０は、操作部５０を角度調節自在に連結するもので、操作部５０の基端部５１を回動自在に収容させる回転用パイプ４１と、筒状体３０の内部に収容される軸部４２とで構成されている。
【００２２】
操作部５０は、連結部４０の回転用パイプ４１内に収容される基端部５１と、基端部５１の両端から水平方向に延出された一対の天井部５２と、天井部５２に設置された天板５３と、前記天井部５２の先端部分から鉛直方向下方に連設された一対の鉛直部５４と、鉛直部５４の下端から水平方向に屈曲されたコの字状の押下部５５とで構成されている。
【００２３】
また、前記コの字状の押下部５５を構成する辺５５ａと辺５５ｂの長さは、同一またはほぼ同一の長さで、押下部５５が、一辺がない正方形の形状であることが好ましい。さらに、鉛直部が、一辺がない正方形の形状であることが好ましい。辺の長さを整えることにより、消毒液吐出機１のバランスがよくなり、消毒液吐出の際の消毒液吐出機１の転倒を防止できる。
【００２４】
また、底部１０の大きさは、押下部５５の大きさと同等か、または少し大きいことが好ましい。具体的には、底部１０の辺の長さ１０ｂが、押下部５５の辺５５ｂと同じ長さか、または底部１０の辺の長さ１０ｂが、押下部５５の辺５５ｂの長さより長いことが好ましい。これにより、消毒液吐出機１のバランスがよくなり、消毒液吐出の際の消毒液吐出機１の転倒を防止できる。
【００２５】
また、特に、図７に示すように、押下部５５に補助部（補助棒）５６を設置してもよい。この補助部（補助棒）５６を設置することで、手の小さい子供であっても、押下部５５の押し下げ操作を容易に行うことができる。なお、補助部５６は平板とすることもできるが、その場合消毒液が平板上に残ることもあるため、衛生面を考慮して補助部５６は棒状であることが好ましい。
【００２６】
次に、本発明の消毒液吐出機（液体吐出機）１の使用方法を図４及び図５に基づいて説明する。
先ず操作部５０を引き上げ、消毒液吐出機１の容器保持部２２内にポンプ式容器２を配置させる。その後、操作部５０を基の状態に戻し、天板５３がポンプ式容器２の操作ヘッド３に当接するよう、高さ調節部３１にて高さを調節する。
【００２７】
調節後、押下部５５を手の甲で軽く押し下げる。すると、操作部５０の天板５３でポンプ式容器２の操作ヘッド３が押し込まれ、吐出部４から消毒液等の液体５が手のひら上に吐出される。これにより、消毒液ポンプ容器２の操作ヘッド３に直接触らずに手のひらに消毒液を吐出でき、さらに、手の甲で押し下げて手のひらに消毒液が吐出されるため、吐出後に消毒液で手の甲を消毒でき、衛生的である。
【００２８】
手のひら上に液体５が吐出された後、手を上部に持ち上げる。すると操作ヘッド３の戻り力により押下部５５が元の水平状態に保持される。なお、押下部５５は、操作部５０の基端部５１を支点として回動されるため、少ない力で容易に操作することができる。
【００２９】
上述の如く、本発明の液体吐出機１によれば、電動源やセンサを必要とせず、少ない部材で製造することができ、容易に、かつワンタッチで液体（消毒液）を吐出することができる。
【符号の説明】
【００３０】
１    消毒液吐出機（液体吐出機）
２    ポンプ式容器
３    操作ヘッド
４    吐出部
５    液体
１０  底部
１０ｂ  底部の辺
１１  底面板
１２  基部
２０  支柱
２１  補強材
２２  容器保持部  
３０  筒状体
３１  高さ調節部
３２  ネジ部
３３  摘
４０  連結部
４１  回転用パイプ
４２  軸部
５０  操作部
５１  基端部
５２  天井部
５３  天板
５４  鉛直部
５５  押下部
５５ａ  押下部の辺
５５ｂ  押下部の辺
５６  補助部
【要約】
【課題】  電動源やセンサを必要とせず、さらに容器のヘッド部分に直接触れることがなく、容易に、かつワンタッチで液体を吐出することができる液体吐出機１を提供する。
【解決手段】  円筒形又は円柱形の枠部材で形成される液体吐出機１であって、液体吐出機１は、底部１０と、底部１０に鉛直状に連設される支柱２０と、支柱２０に設置された容器保持部２２と、支柱２０の上部周囲に配設される筒状体３０と、筒状体３０の上部内周に配設される連結部４０と、連結部４０にて可動自在に連結される、天板５２を備える操作部５０と、を具備する液体吐出機１である。
【選択図】  図１【図１】
0006975951.tif 000002
【図２】
0006975951.tif 000003
【図３】
0006975951.tif 000004
【図４】
0006975951.tif 000005
【図５】
0006975951.tif 000006
【図６】
0006975951.tif 000007
【図７】
0006975951.tif 000008